(57)【要約】      （修正有）【課題】車両に携帯電話通信可能な機器を別途設けることなく、使用者のプライバシーを保護しながら、位置をリアルタイムに精度よく外部の管理サーバにより管理する位置管理方法、位置管理システム、位置管理プログラムおよび携帯通信機器を提供する。【解決手段】位置情報を取得可能な携帯通信機器１０を用いた位置管理方法であって、車両３０に設けられた車載通信機器２０から発信された通信信号を携帯通信機器１０によって受信し、通信信号を受信した携帯通信機器１０から、位置情報を管理サーバ４０に送信する。【選択図】図１
2018180971.tif 000002
【特許請求の範囲】
【請求項１】
位置情報を取得可能な携帯通信機器を用いた位置管理方法であって、
車両に設けられた車載通信機器から発信された通信信号を前記携帯通信機器によって受信し、
前記通信信号を受信した前記携帯通信機器から、前記位置情報を管理サーバに送信する、位置管理方法。
【請求項２】
前記携帯通信機器により前記通信信号を受信したことに基づいて、取得した前記位置情報を前記携帯通信機器から前記管理サーバに送信する、請求項１に記載の位置管理方法。
【請求項３】
前記車載通信機器から発信された前記通信信号を未受信の間は、前記携帯通信機器から前記管理サーバへの前記位置情報の送信を停止する、請求項１または２に記載の位置管理方法。
【請求項４】
前記携帯通信機器は、前記車両の使用者が携帯した状態でデータ通信を利用可能である、請求項１〜３のいずれか１項に記載の位置管理方法。
【請求項５】
前記携帯通信機器が前記通信信号を受信した場合に、前記車両が前記携帯通信機器から所定距離の範囲内に存在すると判定し、
前記車両が前記携帯通信機器から所定距離の範囲内に存在する場合に、取得した前記位置情報を前記携帯通信機器から前記管理サーバに送信する、請求項１〜４のいずれか１項に記載の位置管理方法。
【請求項６】
前記通信信号は、所定の近距離無線通信規格に準拠する前記車載通信機器から発信される、請求項１〜５のいずれか１項に記載の位置管理方法。
【請求項７】
前記通信信号は、所定の低消費電力の近距離無線通信規格に準拠する前記車載通信機器から発信される、請求項６に記載の位置管理方法。
【請求項８】
前記通信信号は、前記車両の使用者が前記車両にアクセス可能な位置まで到達可能なように前記車載通信機器から発信される、請求項１〜７のいずれか１項に記載の位置管理方法。
【請求項９】
前記通信信号は、所定の近距離無線通信規格に準拠する前記車載通信機器から、理論上の到達距離が２ｍ以内の範囲となるように発信される、請求項１〜８のいずれか１項に記載の位置管理方法。
【請求項１０】
前記携帯通信機器は、所定の時刻に、前記車載通信機器の前記通信信号を受信するための機能を有効にする、請求項１〜９のいずれか１項に記載の位置管理方法。
【請求項１１】
前記位置情報とともに、前記通信信号に含まれ、前記車両の情報を有する第１識別情報を、前記携帯通信機器から前記管理サーバに送信し、
前記第１識別情報に基づいて、前記管理サーバにより、前記位置情報に対して前記車両を関連付ける、請求項１〜１０のいずれか１項に記載の位置管理方法。
【請求項１２】
前記位置情報とともに、前記携帯通信機器に関する情報を有する第２識別情報を、前記携帯通信機器から前記管理サーバに送信し、
前記第２識別情報に基づいて、前記管理サーバにより、前記位置情報に対して前記車両の使用者を関連付ける、請求項１〜１１のいずれか１項に記載の位置管理方法。
【請求項１３】
前記第２識別情報に基づいて、前記管理サーバにより、前記位置情報に対して前記車両の使用者の行動予定を関連付ける、請求項１２に記載の位置管理方法。
【請求項１４】
複数の前記携帯通信機器からそれぞれ送信された前記位置情報に基づいて、顧客施設から所定距離の範囲内の前記車両と前記車両の使用者とを検索し、
検索された使用者の行動予定情報に基づいて、顧客施設に派遣する使用者の候補を決定する、請求項１〜１３のいずれか１項に記載の位置管理方法。
【請求項１５】
複数の前記携帯通信機器からそれぞれ送信された前記位置情報に基づいて、顧客施設から所定距離の範囲内の前記車両と前記車両の使用者とを検索し、
検索された使用者の属性情報に基づいて、顧客施設に派遣する使用者の候補を決定する、請求項１〜１４のいずれか１項に記載の位置管理方法。
【請求項１６】
複数の前記携帯通信機器からそれぞれ送信された前記位置情報に基づいて、顧客施設から所定距離の範囲内の前記車両と前記車両の使用者とを検索し、
検索された使用者のスキル情報に基づいて、顧客施設に派遣する使用者の候補を決定する、請求項１〜１５のいずれか１項に記載の位置管理方法。
【請求項１７】
信号送信装置から発信された位置を取得するための信号を前記携帯通信機器により受信し、
受信した前記位置を取得するための信号に基づいて、前記携帯通信機器により前記位置情報を取得する、請求項１〜１６のいずれか１項に記載の位置管理方法。
【請求項１８】
位置情報を取得する位置情報取得部を含む携帯通信機器と、
車両に設けられ、通信信号を発信する車載通信機器と、
管理サーバとを備え、
前記通信信号を受信した前記携帯通信機器は、前記位置情報を前記管理サーバに送信するように構成されている、位置管理システム。
【請求項１９】
位置情報を取得可能な携帯通信機器を用いた位置管理方法を前記携帯通信機器に実行させる位置管理プログラムであって、
車両に設けられた車載通信機器から発信された通信信号を前記携帯通信機器によって受信し、
前記通信信号を受信した前記携帯通信機器から、前記位置情報を管理サーバに送信する、位置管理プログラム。
【請求項２０】
位置情報を取得する位置情報取得部と、
情報を送受信可能な通信部と、
制御部とを備え、
前記制御部は、車両に設けられた車載通信機器から発信される通信信号を受信した場合、前記通信部を介して前記位置情報を管理サーバに送信するように構成されている、携帯通信機器。
【発明の詳細な説明】
【技術分野】
【０００１】
この発明は、位置管理方法、位置管理システム、位置管理プログラムおよび携帯通信機器に関する。
【背景技術】
【０００２】
車両で移動する使用者の位置を管理することが望まれている。たとえば、納品先の機器のメンテナンスを行う保守員の車両の位置を、サポートセンターなどに設けられた管理サーバにより管理することが望まれている。特に、医療機器の場合、保守員による作業が必要な状態が生じた際に、迅速に保守員を派遣して、メンテナンスが行われることが望ましい。そこで、車両により移動する保守員（使用者）の位置をリアルタイムに精度よく管理サーバにより管理することが必要となる。
【０００３】
従来、保守員が使用する車両の位置を管理する車両位置情報管理方法（位置管理方法）が知られている（たとえば、特許文献１参照）。上記特許文献１の車両位置情報管理方法では、車両に設けられた車載機器から、中継会社を介して外部の管理サーバに定期的に車両の位置情報を送信し、管理サーバにより車両の位置情報を管理している。この車両位置情報管理方法に用いられる車載機器は、ＧＰＳ受信機と、携帯電話通信可能な携帯電話モジュールとを含んでいる。
【先行技術文献】
【特許文献】
【０００４】
【特許文献１】特開２００２−３３４３９９
【発明の概要】
【発明が解決しようとする課題】
【０００５】
上記特許文献１の車両位置情報管理方法（位置管理方法）では、携帯電話通信可能な携帯モジュールを含む車載機器を車両に設ける必要があるため、位置を管理する車両が複数ある場合は、複数の車両に携帯電話通信が可能な車載機器をそれぞれ設ける必要がある。このため、それぞれの車載機器について携帯電話通信の契約が必要となり位置管理のためのコストが増大するという不都合がある。
【０００６】
近年、スマートフォンなどの携帯可能な携帯通信機器が普及している。携帯通信機器は、位置情報を取得することや、情報通信を行うことが可能である。そこで、車両の使用者が携帯する携帯通信機器により、位置情報を取得して、管理サーバに位置情報を送信することにより、管理サーバにより位置情報を管理することが考えられる。
【０００７】
しかしながら、使用者の携帯通信機器を用いて位置情報を管理サーバに送信する場合、常に使用者の位置が外部の管理サーバにより管理されることとなるので、車両を離れた使用者のプライバシーを保護することが困難である。
【０００８】
この発明は、車両に携帯電話通信可能な機器を別途設けることなく、使用者のプライバシーを保護しながら、位置をリアルタイムに精度よく外部の管理サーバにより管理することに向けたものである。
【課題を解決するための手段】
【０００９】
この発明の第１の局面による位置管理方法は、位置情報を取得可能な携帯通信機器（１０）を用いた位置管理方法であって、車両（３０）に設けられた車載通信機器（２０）から発信された通信信号を携帯通信機器（１０）によって受信し、通信信号を受信した携帯通信機器（１０）から、位置情報を管理サーバ（４０）に送信する。
【００１０】
第１の局面による位置管理方法では、上記のように、通信信号を受信した携帯通信機器（１０）から、位置情報を管理サーバ（４０）に送信する。これにより、携帯通信機器（１０）が車両（３０）に設けられた車載通信機器（２０）の周辺に位置する場合に、携帯通信機器（１０）により取得した位置情報を外部の管理サーバ（４０）に送信することができるので、位置を外部の管理サーバ（４０）により管理することができる。また、携帯通信機器（１０）が通信信号を受信できない距離に位置する場合には、携帯通信機器（１０）から管理サーバ（４０）への位置情報の送信を停止することができるので、携帯通信機器（１０）が車両（３０）の周辺に位置しない場合に、携帯通信機器（１０）を所持する使用者（１０１）の位置が管理サーバ（４０）に送信されるのを抑制することができる。これにより、車両（３０）を離れた使用者（１０１）のプライバシーを保護することができる。また、車両（３０）に携帯電話通信可能な車載機器を別途設けなくても、使用者（１０１）が携帯する携帯通信機器（１０）を用いることにより、容易に位置を外部の管理サーバ（４０）により管理することができる。これらの結果、車両（３０）に携帯電話通信可能な機器を別途設けることなく、使用者（１０１）のプライバシーを保護しながら、位置をリアルタイムに精度よく外部の管理サーバ（４０）により管理することができる。
【００１１】
上記第１の局面による位置管理方法において、好ましくは、携帯通信機器（１０）により通信信号を受信したことに基づいて、取得した位置情報を携帯通信機器（１０）から管理サーバ（４０）に送信する。これにより、携帯通信機器（１０）が通信信号を受信している間は、携帯通信機器（１０）から管理サーバ（４０）に位置情報を送信することができるので、管理サーバ（４０）により位置を容易に取得して管理することができる。
【００１２】
上記第１の局面による位置管理方法において、好ましくは、車載通信機器（２０）から発信された通信信号を未受信の間は、携帯通信機器（１０）から管理サーバ（４０）への位置情報の送信を停止する。このように構成すれば、携帯通信機器（１０）が車両（３０）の周辺に位置しない場合に、携帯通信機器（１０）の位置情報が管理サーバ（４０）に送信されるのを効果的に抑制することができるので、車両（３０）から離れた位置の携帯通信機器（１０）を所持する使用者（１０１）の位置が管理サーバ（４０）に送信されるのを抑制することができる。これにより、車両（３０）を離れた使用者（１０１）のプライバシーを効果的に保護することができる。
【００１３】
上記第１の局面による位置管理方法において、好ましくは、携帯通信機器（１０）は、車両（３０）の使用者（１０１）が携帯した状態でデータ通信を利用可能である。このように構成すれば、位置情報を取得して管理サーバ（４０）に送信する装置を車両（３０）に設ける場合と異なり、使用者（１０１）が携帯する携帯通信機器（１０）により位置情報を取得して管理サーバ（４０）に送信することができるので、車両（３０）にデータ通信機能のある装置を別途設ける必要がない。
【００１４】
上記第１の局面による位置管理方法において、好ましくは、携帯通信機器（１０）が通信信号を受信した場合に、車両（３０）が携帯通信機器（１０）から所定距離の範囲内に存在すると判定し、車両（３０）が携帯通信機器（１０）から所定距離の範囲内に存在する場合に、取得した位置情報を携帯通信機器（１０）から管理サーバ（４０）に送信する。このように構成すれば、車両（３０）の位置が携帯通信機器（１０）から所定距離の範囲外にある場合に、車両（３０）の位置としての位置情報が携帯通信機器（１０）から管理サーバ（４０）に送信されるのを抑制することができるので、車両（３０）の位置精度が低下した位置情報が管理サーバ（４０）に送信されるのを抑制することができる。また、車両（３０）の位置が携帯通信機器（１０）から所定距離の範囲外にある場合に、車両（３０）を離れた使用者（１０１）の位置情報を管理サーバ（４０）に送信することがないので、使用者（１０１）のプライバシーを効果的に保護することができる。
【００１５】
上記第１の局面による位置管理方法において、好ましくは、通信信号は、所定の近距離無線通信規格に準拠する車載通信機器（２０）から発信される。このように構成すれば、所定の近距離無線通信規格に準拠する車載通信機器（２０）を車両（３０）に設けることにより、携帯通信機器（１０）が車両（３０）の周辺に位置することを容易に検出することができる。
【００１６】
この場合、好ましくは、通信信号は、所定の低消費電力の近距離無線通信規格に準拠する車載通信機器（２０）から発信される。このように構成すれば、車載通信機器（２０）により通信信号を発信する場合の消費電力を抑制することができる。
【００１７】
上記第１の局面による位置管理方法において、好ましくは、通信信号は、車両（３０）の使用者（１０１）が車両（３０）にアクセス可能な位置まで到達可能なように車載通信機器（２０）から発信される。このように構成すれば、車両（３０）の使用者（１０１）が車両（３０）にアクセスできない距離に位置する場合に、携帯通信機器（１０）に通信信号が到達しないので、車両（３０）から離れた位置の携帯通信機器（１０）を所持する使用者（１０１）の位置が管理サーバ（４０）に送信されるのを効果的に抑制することができる。
【００１８】
上記第１の局面による位置管理方法において、好ましくは、通信信号は、所定の近距離無線通信規格に準拠する車載通信機器（２０）から、理論上の到達距離が２ｍ以内の範囲となるように発信される。このように構成すれば、一般的な乗用車内に携帯通信機器（１０）が位置する場合に、携帯通信機器（１０）が通信信号を受信可能であり、乗用車外の位置に携帯通信機器（１０）が位置する場合に、携帯通信機器（１０）により通信信号を受信できなくすることができる。
【００１９】
上記第１の局面による位置管理方法において、好ましくは、携帯通信機器（１０）は、所定の時刻に、車載通信機器（２０）の通信信号を受信するための機能を有効にする。このように構成すれば、携帯通信機器（１０）の通信信号を受信する機能が無効である場合でも、所定の時刻になれば車載通信機器（２０）の通信信号を受信するための機能を有効にすることができるので、所定の時刻以降は、携帯通信機器（１０）が通信信号を受信可能な距離に位置する場合に、携帯通信機器（１０）により通信信号を確実に受信することができる。
【００２０】
上記第１の局面による位置管理方法において、好ましくは、位置情報とともに、通信信号に含まれ、車両（３０）の情報を有する第１識別情報を、携帯通信機器（１０）から管理サーバ（４０）に送信し、第１識別情報に基づいて、管理サーバ（４０）により、位置情報に対して車両（３０）を関連付ける。このように構成すれば、複数の車両（３０）が存在する場合に、複数の車両（３０）の各々を区別して位置を管理することができる。
【００２１】
上記第１の局面による位置管理方法において、好ましくは、位置情報とともに、携帯通信機器（１０）に関する情報を有する第２識別情報を、携帯通信機器（１０）から管理サーバ（４０）に送信し、第２識別情報に基づいて、管理サーバ（４０）により、位置情報に対して車両（３０）の使用者（１０１）を関連付ける。このように構成すれば、車両（３０）により移動している使用者（１０１）を区別して使用者（１０１）毎に位置を管理することができる。
【００２２】
この場合、好ましくは、第２識別情報に基づいて、管理サーバ（４０）により、位置情報に対して車両（３０）の使用者（１０１）の行動予定を関連付ける。このように構成すれば、車両（３０）により移動している使用者（１０１）の位置および行動予定に基づいて、使用者（１０１）の状態を容易に把握することができる。
【００２３】
上記第１の局面による位置管理方法において、好ましくは、複数の携帯通信機器（１０）からそれぞれ送信された位置情報に基づいて、顧客施設から所定距離の範囲内の車両（３０）と車両（３０）の使用者（１０１）とを検索し、検索された使用者（１０１）の行動予定情報に基づいて、顧客施設に派遣する使用者（１０１）の候補を決定する。このように構成すれば、複数の車両（３０）の使用者（１０１）の中から、顧客施設に近くて行動予定の都合の良い使用者（１０１）を容易に選択することができるので、顧客施設に使用者（１０１）を迅速に派遣することができる。
【００２４】
上記第１の局面による位置管理方法において、好ましくは、複数の携帯通信機器（１０）からそれぞれ送信された位置情報に基づいて、顧客施設から所定距離の範囲内の車両（３０）と車両（３０）の使用者（１０１）とを検索し、検索された使用者（１０１）の属性情報に基づいて、顧客施設に派遣する使用者（１０１）の候補を決定する。このように構成すれば、複数の車両（３０）の使用者（１０１）の中から、顧客施設に近くて属性が適した使用者（１０１）を容易に選択することができるので、顧客施設に適した属性の使用者（１０１）を迅速に派遣することができる。
【００２５】
上記第１の局面による位置管理方法において、好ましくは、複数の携帯通信機器（１０）からそれぞれ送信された位置情報に基づいて、顧客施設から所定距離の範囲内の車両（３０）と車両（３０）の使用者（１０１）とを検索し、検索された使用者（１０１）のスキル情報に基づいて、顧客施設に派遣する使用者（１０１）の候補を決定する。このように構成すれば、複数の車両（３０）の使用者（１０１）の中から、顧客施設に近くて適したスキルを有する使用者（１０１）を容易に選択することができるので、顧客施設に適したスキルを有する使用者（１０１）を迅速に派遣することができる。
【００２６】
上記第１の局面による位置管理方法において、好ましくは、信号送信装置（５０）から発信された位置を取得するための信号を携帯通信機器（１０）により受信し、受信した位置を取得するための信号に基づいて、携帯通信機器（１０）により位置情報を取得する。このように構成すれば、携帯通信機器（１０）により、容易に精度よく位置情報を取得することができる。
【００２７】
この発明の第２の局面による位置管理システム（１００）は、位置情報を取得する位置情報取得部（１３）を含む携帯通信機器（１０）と、車両（３０）に設けられ、通信信号を発信する車載通信機器（２０）と、管理サーバ（４０）とを備え、通信信号を受信した携帯通信機器（１０）は、位置情報を管理サーバ（４０）に送信するように構成されている。
【００２８】
第２の局面による位置管理システム（１００）では、上記のように、通信信号を受信した携帯通信機器（１０）が、位置情報を管理サーバ（４０）に送信するように構成する。これにより、携帯通信機器（１０）が車両（３０）に設けられた車載通信機器（２０）の周辺に位置する場合に、位置情報取得部（１３）により取得した位置情報を外部の管理サーバ（４０）に送信することができるので、位置を外部の管理サーバ（４０）により管理することができる。また、携帯通信機器（１０）が通信信号を受信できない距離に位置する場合には、携帯通信機器（１０）から管理サーバ（４０）への位置情報の送信を停止することができるので、携帯通信機器（１０）が車両（３０）の周辺に位置しない場合に、携帯通信機器（１０）を所持する使用者（１０１）の位置が管理サーバ（４０）に送信されるのを抑制することができる。これにより、車両（３０）を離れた使用者（１０１）のプライバシーを保護することができる。また、車両（３０）に携帯電話通信可能な車載機器を別途設けなくても、使用者（１０１）が携帯する携帯通信機器（１０）を用いることにより、容易に位置を外部の管理サーバ（４０）により管理することができる。これらの結果、車両（３０）に携帯電話通信可能な機器を別途設けることなく、使用者（１０１）のプライバシーを保護しながら、位置をリアルタイムに精度よく外部の管理サーバ（４０）により管理することができる。
【００２９】
この発明の第３の局面による位置管理プログラム（１１０）は、位置情報を取得可能な携帯通信機器（１０）を用いた位置管理方法を携帯通信機器（１０）に実行させる位置管理プログラム（１１０）であって、車両（３０）に設けられた車載通信機器（２０）から発信された通信信号を携帯通信機器（１０）によって受信し、通信信号を受信した携帯通信機器（１０）から、位置情報を管理サーバ（４０）に送信する。
【００３０】
第３の局面による位置管理プログラム（１１０）では、上記のように、通信信号を受信した携帯通信機器（１０）から、位置情報を管理サーバ（４０）に送信する。これにより、携帯通信機器（１０）が車両（３０）に設けられた車載通信機器（２０）の周辺に位置する場合に、携帯通信機器（１０）により取得した位置情報を外部の管理サーバ（４０）に送信することができるので、位置を外部の管理サーバ（４０）により管理することができる。また、携帯通信機器（１０）が通信信号を受信できない距離に位置する場合には、携帯通信機器（１０）から管理サーバ（４０）への位置情報の送信を停止することができるので、携帯通信機器（１０）が車両（３０）の周辺に位置しない場合に、携帯通信機器（１０）を所持する使用者（１０１）の位置が管理サーバ（４０）に送信されるのを抑制することができる。これにより、車両（３０）を離れた使用者（１０１）のプライバシーを保護することができる。また、車両（３０）に携帯電話通信可能な車載機器を別途設けなくても、使用者（１０１）が携帯する携帯通信機器（１０）を用いることにより、容易に位置を外部の管理サーバ（４０）により管理することができる。これらの結果、車両（３０）に携帯電話通信可能な機器を別途設けることなく、使用者（１０１）のプライバシーを保護しながら、位置をリアルタイムに精度よく外部の管理サーバ（４０）により管理することができる。
【００３１】
この発明の第４の局面による携帯通信機器（１０）は、位置情報を取得する位置情報取得部（１３）と、情報を送受信可能な通信部（１４）と、制御部（１１）とを備え、制御部（１１）は、車両（３０）に設けられた車載通信機器（２０）から発信される通信信号を受信した場合、通信部（１４）を介して位置情報を管理サーバ（４０）に送信するように構成されている。
【００３２】
第４の局面による携帯通信機器（１０）では、上記のように、制御部（１１）を、車両（３０）に設けられた車載通信機器（２０）から発信される通信信号を受信した場合、通信部（１４）を介して位置情報を管理サーバ（４０）に送信するように構成する。これにより、携帯通信機器（１０）が車両（３０）に設けられた車載通信機器（２０）の周辺に位置する場合に、位置情報取得部（１３）により取得した位置情報を外部の管理サーバ（４０）に送信することができるので、位置を外部の管理サーバ（４０）により管理することができる。また、携帯通信機器（１０）が通信信号を受信できない距離に位置する場合には、携帯通信機器（１０）から管理サーバ（４０）への位置情報の送信を停止することができるので、携帯通信機器（１０）が車両（３０）の周辺に位置しない場合に、携帯通信機器（１０）を所持する使用者（１０１）の位置が管理サーバ（４０）に送信されるのを抑制することができる。これにより、車両（３０）を離れた使用者（１０１）のプライバシーを保護することができる。また、車両（３０）に携帯電話通信可能な車載機器を別途設けなくても、使用者（１０１）が携帯する携帯通信機器（１０）を用いることにより、容易に位置を外部の管理サーバ（４０）により管理することができる。これらの結果、車両（３０）に携帯電話通信可能な機器を別途設けることなく、使用者（１０１）のプライバシーを保護しながら、位置をリアルタイムに精度よく外部の管理サーバ（４０）により管理することができる。
【発明の効果】
【００３３】
車両に携帯電話通信可能な機器を別途設けることなく、使用者のプライバシーを保護しながら、位置をリアルタイムに精度よく外部の管理サーバにより管理することができる。
【図面の簡単な説明】
【００３４】
【図１】位置管理方法の概要を説明するための図である。
【図２】位置管理システムの概要を示したブロック図である。
【図３】位置情報送信処理の一例を示したフローチャートである。
【図４】携帯通信機器の位置管理プログラムの一例を説明するためのブロック図である。
【図５】携帯通信機器の制御部による通信信号認証処理の一例を説明するためのフローチャートである。
【図６】携帯通信機器の制御部による近距離無線インターフェース切替処理の一例を説明するためのブロック図である。
【図７】携帯通信機器の制御部による近距離無線インターフェース切替処理の第１例を説明するためのフローチャートである。
【図８】携帯通信機器の制御部による近距離無線インターフェース切替処理の第２例を説明するためのフローチャートである。
【図９】サポートセンターの概略を示したブロック図である。
【図１０】車両位置データベースの一例を示した図である。
【図１１】車両情報データベースの一例を示した図である。
【図１２】行動予定データベースの一例を示した図である。
【図１３】顧客データベースの一例を示した図である。
【図１４】保守員データベースの一例を示した図である。
【図１５】サポートセンターの端末の表示例を示した図である。
【図１６】位置情報の登録の一例を説明するためのシーケンス図である。
【図１７】サポートセンターによるサポートの一例を説明するためのシーケンス図である。
【発明を実施するための形態】
【００３５】
以下、実施形態を図面に基づいて説明する。
【００３６】
［位置管理方法の概要］
図１を参照して、本実施形態による携帯通信機器１０を用いた位置管理方法の概要について説明する。
【００３７】
本実施形態による位置管理方法は、位置情報を取得可能な携帯通信機器１０を用いた位置管理方法である。
【００３８】
携帯通信機器１０は、使用者１０１が携帯して利用する端末である。携帯通信機器１０は、車両３０の使用者１０１が携帯した状態でデータ通信を利用可能である。具体的には、携帯通信機器１０は、通信網６０を介して、データ通信可能に構成されている。携帯通信機器１０は、たとえば、スマートフォンや、タブレットや携帯電話などである。通信網６０は、たとえば、携帯電話通信の通信網である。
【００３９】
携帯通信機器１０は、位置情報を取得可能である。具体的には、携帯通信機器１０は、信号送信装置５０から送信される位置取得のための信号に基づいて、地球上における位置座標を取得する。たとえば、携帯通信機器１０は、ＧＰＳ（グローバルポジショニングシステム）を用いて、位置情報を取得してもよい。また、携帯通信機器１０は、ＷｉＦｉ通信により、基地局の位置と、基地局からの距離とに基づいて、位置情報を取得してもよい。また、携帯通信機器１０は、携帯電話通信により、基地局の位置と、基地局からの距離とに基づいて、位置情報を取得してもよい。また、携帯通信機器１０は、Ｂｌｕｅｔｏｏｔｈ（登録商標）通信により、位置情報を取得してもよい。つまり、信号送信装置５０は、たとえば、ＧＰＳに用いられる人工衛星や、ＷｉＦｉ基地局や、携帯電話基地局や、Ｂｌｕｅｔｏｏｔｈ通信発信機などである。携帯通信機器１０は、信号送信装置５０から送信される信号に基づいて、現在位置を算出して位置情報を取得してもよい。また、携帯通信機器１０は、位置情報を含む信号が信号送信装置５０から送信されることにより、位置情報を取得してもよい。位置情報は、２次元的な位置情報でもよいし、３次元的な位置情報でもよい。
【００４０】
携帯通信機器１０は、車載通信機器２０から発信される通信信号を受信可能である。たとえば、通信信号は、所定の近距離無線通信規格に準拠する車載通信機器２０から発信される。具体的には、通信信号は、所定の低消費電力の近距離無線通信規格に準拠する車載通信機器２０から発信される。通信信号は、たとえば、Ｂｌｕｅｔｏｏｔｈ、ＺｉｇＢｅｅ、ＵＷＢなどの規格により送信される。通信信号は、たとえば、Ｂｌｕｅｔｏｏｔｈ４．０（ＢＬＥ（Ｂｌｕｅｔｏｏｔｈ  Ｌｏｗ  Ｅｎｅｒｇｙ））の規格により送信される。
【００４１】
車載通信機器２０は、車両３０に設けられている。車載通信機器２０は、通信信号を発信可能である。通信信号には、識別情報が含まれている。識別情報は、発信する車載通信機器２０に固有の情報である。車載通信機器２０は、たとえば、車両３０のダッシュボード内や、乗車スペース、トランクルームなどに配置されている。車載通信機器２０は、常に通信信号を発信していてもよいし、間欠的に通信信号を発信していてもよい。たとえば、車載通信機器２０は、１秒〜１分程度の間隔で通信信号を発信していてもよい。
【００４２】
車両３０は、使用者１０１が移動のために使用する。車両３０は、たとえば、４輪の乗用車である。なお、車両３０は、自動二輪車や自転車などの２輪車であってもよいし、３輪車であってもよい。また、車両３０は、バスやトラックなどの５輪以上の自動車でもよい。
【００４３】
管理サーバ４０は、車両３０および車両３０に乗車中の使用者１０１の位置を管理するために設けられている。管理サーバ４０は、データ通信可能である。管理サーバ４０は、携帯通信機器１０からの位置情報を受信可能である。管理サーバ４０は、サービスセンターなどの拠点に配置されている。管理サーバ４０は、複数の車両３０の位置を管理することが可能である。
【００４４】
ここで、本実施形態では、車両３０に設けられた車載通信機器２０から発信された通信信号を携帯通信機器１０によって受信し、携帯通信機器１０により位置情報を取得し、通信信号を受信した携帯通信機器１０から、位置を管理する管理サーバ４０に、位置情報を送信する。たとえば、携帯通信機器１０により通信信号を受信したことに基づいて、取得した位置情報を携帯通信機器１０から管理サーバ４０に送信する。つまり、携帯通信機器１０が通信信号を受信可能な距離に位置する場合に、取得した位置情報を携帯通信機器１０から管理サーバ４０に送信する。
【００４５】
これにより、携帯通信機器１０が車両３０に設けられた車載通信機器２０の周辺に位置する場合に、携帯通信機器１０により取得した位置情報を外部の管理サーバ４０に送信することができるので、位置を外部の管理サーバ４０により管理することができる。また、携帯通信機器１０が通信信号を受信できない距離に位置する場合には、携帯通信機器１０から管理サーバ４０への位置情報の送信を停止することができるので、携帯通信機器１０が車両３０の周辺に位置しない場合に、携帯通信機器１０を所持する使用者１０１の位置が管理サーバ４０に送信されるのを抑制することができる。これにより、車両３０を離れた使用者１０１のプライバシーを保護することができる。また、車両３０に携帯電話通信可能な車載機器を別途設けなくても、使用者１０１が携帯する携帯通信機器１０を用いることにより、容易に位置を外部の管理サーバ４０により管理することができる。これらの結果、車両３０に携帯電話通信可能な機器を別途設けることなく、使用者１０１のプライバシーを保護しながら、位置をリアルタイムに精度よく外部の管理サーバ４０により管理することができる。
【００４６】
つまり、携帯通信機器１０を携帯した使用者１０１が、車載通信機器２０から発信される通信信号を受信可能である位置Ｐ１に位置する場合には、携帯通信機器１０から管理サーバ４０に現在位置を示す位置情報を送信する。
【００４７】
また、本実施形態では、車載通信機器２０から発信された通信信号を未受信の間は、携帯通信機器１０から管理サーバ４０への位置情報の送信を停止する。これにより、携帯通信機器１０が車両３０の周辺に位置しない場合に、携帯通信機器１０の位置情報が管理サーバ４０に送信されるのを効果的に抑制することができるので、車両３０から離れた位置の携帯通信機器１０を所持する使用者１０１の位置が管理サーバ４０に送信されるのを抑制することができる。これにより、車両３０を離れた使用者１０１のプライバシーを効果的に保護することができる。
【００４８】
つまり、携帯通信機器１０を携帯した使用者１０１が、車載通信機器２０から発信される通信信号を受信できない位置Ｐ２に位置する場合には、携帯通信機器１０から管理サーバ４０に現在位置を示す位置情報を送信しない。この場合、携帯通信機器１０は、位置情報を取得することを停止してもよい。また、携帯通信機器１０は、位置情報を管理サーバ４０に送信しなければ、位置情報は取得してもよい。
【００４９】
［位置管理システムの構成例］
図２〜図１７を参照して、本実施形態による位置管理システム１００の概要について説明する。
【００５０】
本実施形態による位置管理システム１００は、車両３０の位置を管理することができる。また、位置管理システム１００は、車両３０を使用している使用者１０１の位置を管理することができる。位置管理システム１００は、図２に示すように、携帯通信機器１０と、車載通信機器２０と、管理サーバ４０とを備えている。携帯通信機器１０は、制御部１１と、近距離無線インターフェース１２と、位置情報取得部１３と、通信部１４とを備えている。車載通信機器２０は、車両３０に設けられている。
【００５１】
携帯通信機器１０は、たとえば、スマートフォンやタブレットなどの携帯端末である。携帯通信機器１０は、使用者１０１個人の所有の端末でもよいし、使用者１０１が所属する企業の所有の端末でもよい。たとえば、携帯通信機器１０が検査装置などの装置の保守サービスを実施する場面に利用される場合は、携帯通信機器１０が企業所有の端末でることが好ましい。携帯通信機器１０は、タッチパネル機能を有する表示部をさらに備えている。
【００５２】
制御部１１は、携帯通信機器１０の各部を制御するように構成されている。制御部１１は、たとえば、ＣＰＵ（セントラルプロセッシングユニット）と、メモリとを含んでいる。また、制御部１１は、位置管理を行う位置管理プログラム１１０（図４参照）を稼働することができる。
【００５３】
近距離無線インターフェース１２は、近距離無線用のインターフェースである。近距離無線インターフェース１２は、近距離無線の信号を送受信することができる。たとえば、近距離無線インターフェース１２は、Ｂｌｕｅｔｏｏｔｈ（たとえば、Ｂｌｕｅｔｏｏｔｈ４．０（ＢＬＥ））、ＺｉｇＢｅｅ、またはＵＷＢなどの規格に準拠している。近距離無線インターフェース１２は、数ｃｍ〜１００ｍ程度の範囲において通信可能である。近距離無線インターフェース１２は、ＢＬＥの規格に準拠している場合、１ｃｍ〜数十ｍ程度の範囲において通信可能である。好ましくは、近距離無線インターフェース１２は、１ｃｍ〜１０ｍ程度の範囲において通信可能である。近距離無線インターフェース１２は、車載通信機器２０から発信される通信信号を受信可能である。近距離無線インターフェース１２は、通信信号を送受信する機能のオン／オフを切り替えることができる。
【００５４】
位置情報取得部１３は、携帯通信機器１０の位置情報を取得することができる。位置情報取得部１３は、ＧＰＳ（グローバルポジショニングシステム）を用いて、位置情報を取得してもよい。また、位置情報取得部１３は、ＷｉＦｉ通信により、基地局の位置と、基地局からの距離とに基づいて、位置情報を取得してもよい。また、位置情報取得部１３は、携帯電話通信により、基地局の位置と、基地局からの距離とに基づいて、位置情報を取得してもよい。また、位置情報取得部１３は、Ｂｌｕｅｔｏｏｔｈ通信により、位置情報を取得してもよい。位置情報取得部１３は、信号送信装置５０から送信される信号に基づいて、現在位置を算出して位置情報を取得してもよい。また、位置情報取得部１３は、位置情報を含む信号が信号送信装置５０から送信されることにより、位置情報を取得してもよい。位置情報は、２次元的な位置情報でもよいし、３次元的な位置情報でもよい。位置情報取得部１３は、位置情報を取得する機能のオン／オフを切り替えることができる。
【００５５】
通信部１４は、近距離無線インターフェース１２とは異なるインターフェースである。通信部１４は、情報を送受信可能である。つまり、通信部１４は、データ通信可能である。具体的には、通信部１４は、通信網６０を介して、データ通信可能である。通信部１４は、たとえば、ＷｉＦｉ、３Ｇ、ＬＴＥ、５Ｇなどの通信規格により通信可能である。通信部１４は、通信網６０を介して管理サーバ４０と通信可能である。また、通信部１４は、位置情報取得部１３により取得した位置情報を管理サーバ４０に送信可能である。通信部１４は、たとえば、位置情報取得部１３により取得した位置情報に基づいて、所定の距離移動する毎に、位置情報を管理サーバ４０に送信してもよい。また、通信部１４は、たとえば、所定の時間間隔毎に、位置情報を管理サーバ４０に送信してもよい。
【００５６】
車載通信機器２０は、車両３０に設けられている。つまり、車載通信機器２０は、車両３０に搭載されたデバイスである。また、車載通信機器２０は、通信信号を発信することができる。具体的には、車載通信機器２０は、携帯通信機器１０の近距離無線インターフェース１２が受信可能な通信信号を発信することができる。車載通信機器２０は、所定の通信信号をアドバタイズする。車載通信機器２０は、通信信号の到達距離を調整することが可能である。車載通信機器２０の通信信号の到達距離は、数ｃｍ〜１００ｍ程度の範囲で調整することができる。車載通信機器２０は、発信する機器をユニークに識別可能な識別情報を含む通信信号を発信することができる。車載通信機器２０は、Ｂｌｕｅｔｏｏｔｈ（たとえば、Ｂｌｕｅｔｏｏｔｈ４．０（ＢＬＥ））、ＺｉｇＢｅｅ、またはＵＷＢなどの規格に準拠している。
【００５７】
車載通信機器２０は、車両３０の使用者１０１が車両３０にアクセス可能な位置まで到達可能なように通信信号を発信する。これにより、車両３０の使用者１０１が車両３０にアクセスできない距離に位置する場合に、携帯通信機器１０に通信信号が到達しないので、車両３０から離れた位置の携帯通信機器１０を所持する使用者１０１の位置が管理サーバ４０に送信されるのを効果的に抑制することができる。なお、車両３０の使用者１０１が車両３０にアクセス可能な位置とは、たとえば、使用者１０１が車両３０に触れることができる位置や、使用者１０１が車両３０のロックを解除可能な位置などである。
【００５８】
車載通信機器２０は、たとえば、所定の近距離無線通信規格に準拠する車載通信機器２０から、理論上の到達距離が２ｍ以内の範囲となるように通信信号を発信することができる。これにより、一般的な乗用車内に携帯通信機器１０が位置する場合に、携帯通信機器１０が通信信号を受信可能であり、乗用車外の位置に携帯通信機器１０が位置する場合に、携帯通信機器１０により通信信号を受信できなくすることができる。
【００５９】
管理サーバ４０は、複数の携帯通信機器１０からそれぞれ送信される位置情報を管理する。管理サーバ４０は、車両３０の位置を管理する。管理サーバ４０は、たとえば、従業員である使用者１０１が利用する社用車としての車両３０の位置情報を管理するために用いられる。また、管理サーバ４０は、車両３０の使用者１０１の位置情報を管理するために用いられる。管理サーバ４０は、たとえば、サポートセンターなどに配置される。また、管理サーバ４０は、製品の保守員が利用する社用車の位置情報を管理するために用いられる。
【００６０】
ここで、本実施形態では、制御部１１は、車両３０に設けられた車載通信機器２０から発信される通信信号を受信可能な距離に位置する場合に、位置情報取得部１３により取得した位置情報を、位置を管理する管理サーバ４０に通信部１４により送信する。具体的には、制御部１１は、車両３０に設けられた車載通信機器２０から発信される通信信号を受信した場合、位置を管理する管理サーバ４０に、通信部１４を介して位置情報を送信するように構成されている。たとえば、制御部１１は、位置管理プログラム１１０を実行することにより、車両３０に設けられた車載通信機器２０から発信された通信信号を携帯通信機器１０によって受信し、携帯通信機器１０により位置情報を取得し、携帯通信機器１０により通信信号を受信したことに基づいて、取得した位置情報を携帯通信機器１０から位置を管理する管理サーバ４０に送信する。これにより、携帯通信機器１０が車両３０に設けられた車載通信機器２０の周辺に位置する場合に、位置情報取得部１３により取得した位置情報を外部の管理サーバ４０に送信することができるので、位置を外部の管理サーバ４０により管理することができる。また、携帯通信機器１０が通信信号を受信できない距離に位置する場合には、携帯通信機器１０から管理サーバ４０への位置情報の送信を停止することができるので、携帯通信機器１０が車両３０の周辺に位置しない場合に、携帯通信機器１０を所持する使用者１０１の位置が管理サーバ４０に送信されるのを抑制することができる。これにより、車両３０を離れた使用者１０１のプライバシーを保護することができる。また、車両３０に携帯電話通信可能な車載機器を別途設けなくても、使用者１０１が携帯する携帯通信機器１０を用いることにより、容易に位置を外部の管理サーバ４０により管理することができる。これらの結果、車両３０に携帯電話通信可能な機器を別途設けることなく、使用者１０１のプライバシーを保護しながら、位置をリアルタイムに精度よく外部の管理サーバ４０により管理することができる。これにより、たとえば、医療機器に保守員による作業が必要な状態が生じた場合に、医療機器のメンテナンスを行う保守員を、迅速に派遣することができる。
【００６１】
また、本実施形態では、携帯通信機器１０が通信信号を受信した場合に、車両３０が携帯通信機器１０から所定距離の範囲内に存在すると判定し、車両３０が携帯通信機器１０から所定距離の範囲内に存在する場合に、取得した位置情報を携帯通信機器１０から管理サーバ４０に送信する。これにより、車両３０の位置が携帯通信機器１０から所定距離の範囲外にある場合に、車両３０の位置としての位置情報が携帯通信機器１０から管理サーバ４０に送信されるのを抑制することができるので、車両３０の位置精度が低下した位置情報が管理サーバ４０に送信されるのを抑制することができる。また、車両３０の位置が携帯通信機器１０から所定距離の範囲外にある場合に、車両３０を離れた使用者１０１の位置情報を管理サーバ４０に送信することがないので、使用者１０１のプライバシーを効果的に保護することができる。
【００６２】
（位置情報送信処理）
図３を参照して、携帯通信機器１０の制御部１１による位置情報送信処理の一例について説明する。
【００６３】
図３のステップＳ１において、近距離無線インターフェース１２により、車載通信機器２０が発信する通信信号を受信したか否かが判断される。通信信号を受信すれば、ステップＳ２に進み、通信信号を受信しなければ、通信信号を受信するまで、ステップＳ１の処理を繰り返す。ステップＳ２において、携帯通信機器１０が車両３０から所定距離の範囲内にあると判定される。
【００６４】
ステップＳ３において、位置情報取得部１３により取得された位置情報が、通信部１４を介して管理サーバ４０に送信される。なお、位置情報取得部１３による位置取得は、常に実行されていてもよいし、管理サーバ４０に送信する必要がある場合に実行されてもよい。ステップＳ４において、近距離無線インターフェース１２により、車載通信機器２０が発信する通信信号を受信したか否かが判断される。通信信号を受信すれば、ステップＳ３に戻り、通信信号を受信しなければ、ステップＳ５に進む。
【００６５】
ステップＳ５において、通信部１４による管理サーバ４０への位置情報の送信が停止される。その後、ステップＳ１に戻る。
【００６６】
（位置管理プログラム）
図４を参照して、携帯通信機器１０の制御部１１により実行される位置管理プログラム１１０について説明する。
【００６７】
位置管理プログラム１１０は、信号解析部１１１と、認証処理部１１２と、判定部１１３と、位置情報送信部１１４とを含んでいる。
【００６８】
信号解析部１１１は、近距離無線インターフェース１２により受信した通信信号の内容を解析する。車載通信機器２０から発信された通信信号には、識別子情報が含まれている。信号解析部１１１は、通信信号を解析して識別子情報を抽出する。
【００６９】
認証処理部１１２は、抽出された識別子情報を認証するために、識別子情報を外部のサーバに送信する。認証処理部１１２は、たとえば、通信部１４を介して、通信網６０により識別子情報を外部のサーバに送信する。外部のサーバは、送信された識別子情報が位置管理プログラム１１０に紐付られたものであるか否かを確認する。そして、外部のサーバは、送信された識別子情報が位置管理プログラム１１０に紐付られたものである場合に、携帯通信機器１０の位置管理プログラム１１０に対して、識別子情報が認証されたことを示す情報を送信する。なお、外部のサーバは、位置管理プログラム１１０に対して、位置情報を送信する指示を送信してもよい。また、外部のサーバは、位置管理用の管理サーバ４０であってもよいし、他のサーバであってもよい。また、認証処理部１１２は、サーバと通信することなく識別子情報を認証してもよい。
【００７０】
判定部１１３は、識別子情報が認証されたか否かを判定する。判定部１１３は、たとえば、外部のサーバから識別子情報が認証されたことを示す情報を受信した場合に、識別子情報が認証されたと判定する。また、判定部１１３は、外部のサーバから位置情報を送信する指示を受信した場合に、識別子情報が認証されたと判定してもよい。
【００７１】
位置情報送信部１１４は、識別子情報が認証された場合、位置情報取得部１３が取得した位置情報を、通信部１４を介して管理サーバ４０に定期的に送信する。位置情報送信部１１４は、位置情報に加えて、車両３０のＩＤや、通信信号にふくまれる識別情報を管理サーバ４０に送信してもよい。また、位置情報送信部１１４は、位置情報に加えて、携帯通信機器１０のＩＤ（たとえば、電話番号、ＳＩＭカードのＩＤなど）や、携帯通信機器１０の使用者１０１のＩＤ（たとえば、社員番号など）を管理サーバ４０に送信してもよい。
【００７２】
（通信信号認証処理）
図５を参照して、携帯通信機器１０の制御部１１による通信信号認証処理の一例について説明する。
【００７３】
図５のステップＳ１１において、近距離無線インターフェース１２により通信信号を受信する。ステップＳ１２において、通信信号から識別子情報が抽出される。ステップＳ１３において、識別子情報に基づいて、認証処理が行われる。
【００７４】
ステップＳ１４において、識別子情報が認証されたか否かが判断される。認証されれば、ステップＳ１５に進み、認証されなければ、ステップＳ１１に戻る。ステップＳ１５において、携帯通信機器１０が車両３０から所定距離の範囲内に位置すると判定される。その後、通信信号認証処理が終了される。
【００７５】
（近距離無線インターフェース切替処理）
図６〜図７を参照して、携帯通信機器１０の制御部１１による近距離無線インターフェース切替処理について説明する。
【００７６】
図６に示すように、制御部１１は、インターフェース制御部１１５と、時刻情報取得部１１６とを含むアプリケーションを実行して、近距離無線インターフェース切替処理を行う。
【００７７】
インターフェース制御部１１５は、所定の時刻において、近距離無線インターフェース１２がオフになっている場合、近距離無線インターフェース１２を自動的にオンにする。たとえば、インターフェース制御部１１５は、携帯通信機器１０の使用者１０１の勤務開始時刻において、近距離無線インターフェース１２がオフになっている場合、近距離無線インターフェース１２を自動的にオンにする。また、インターフェース制御部１１５は、携帯通信機器１０の使用者１０１の勤務時間外において、近距離無線インターフェース１２を自動的にオフにしてもよい。なお、近距離無線インターフェース１２を自動的にオフにする機能は、オプションの機能でもよい。これにより、常に近距離無線インターフェース１２をオンにしている場合に比べて、携帯通信機器１０の消費電力を低減することができる。
【００７８】
時刻情報取得部１１６は、時刻を取得する。また、インターフェース制御部１１５は、時刻情報取得部１１６により取得した時刻を用いて、近距離無線インターフェース１２のオン／オフを切り替える。時刻情報取得部１１６は、通信部１４を介して時刻を取得してもよいし、位置情報取得部１３を介して時刻を取得してもよいし、近距離無線インターフェース１２を介して時刻を取得してもよい。
【００７９】
つまり、携帯通信機器１０は、所定の時刻に、車載通信機器２０の通信信号を受信するための機能を有効にする。これにより、携帯通信機器１０の通信信号を受信する機能が無効である場合でも、所定の時刻になれば車載通信機器２０の通信信号を受信するための機能を有効にすることができるので、所定の時刻以降は、携帯通信機器１０が通信信号を受信可能な距離に位置する場合に、携帯通信機器１０により通信信号を確実に受信することができる。たとえば、携帯通信機器１０の使用者１０１の勤務時間に近距離無線インターフェース１２がオフになっていると、携帯通信機器１０の位置情報が管理サーバ４０に送信されない。この場合、使用者１０１が使用する車両３０の位置を管理することができない。近距離無線インターフェース１２を、自動的にオンにすることにより、携帯通信機器１０の使用者１０１が手動で近距離無線インターフェース１２をオンにしなくても、車両３０の位置を管理することが可能である。
【００８０】
図７を参照して、近距離無線インターフェース切替処理の第１例を説明する。
【００８１】
図７のステップＳ２１において、所定時刻になったか否かが判断される。所定時刻になれば、ステップＳ２２に進み、所定時刻にならなければ、所定時刻になるまで、ステップＳ２１の処理が繰り返される。ステップＳ２２において、近距離無線インターフェース１２がオンか否かが判断される。近距離無線インターフェース１２がオンであれば、近距離無線インターフェース切替処理が終了される。一方、近距離無線インターフェース１２がオフであれば、ステップＳ２３に進み、近距離無線インターフェース１２がオンにされる。その後、近距離無線インターフェース切替処理が終了される。
【００８２】
図８を参照して、近距離無線インターフェース切替処理の第２例を説明する。
【００８３】
図８のステップＳ３１において、第１の所定時刻になったか否かが判断される。第１の所定時刻になれば、ステップＳ３２に進み、第１の所定時刻にならなければ、第１の所定時刻になるまで、ステップＳ３１の処理が繰り返される。ステップＳ３２において、近距離無線インターフェース１２がオンか否かが判断される。近距離無線インターフェース１２がオンであれば、近距離無線インターフェース切替処理が終了される。一方、近距離無線インターフェース１２がオフであれば、ステップＳ３３に進み、近距離無線インターフェース１２がオンにされる。第１の所定時刻は、たとえば、携帯通信機器１０の使用者１０１の勤務開始時刻である。
【００８４】
ステップＳ３４において、第２の所定時刻になったか否かが判断される。第２の所定時刻になれば、ステップＳ３５に進み、第２の所定時刻にならなければ、第２の所定時刻になるまで、ステップＳ３４の処理が繰り返される。ステップＳ３５において、近距離無線インターフェース１２がオフにされる。その後、近距離無線インターフェース切替処理が終了される。第２の所定時刻は、たとえば、携帯通信機器１０の使用者１０１の勤務終了時刻である。
【００８５】
（サポートセンターの構成例）
図９〜図１７を参照して、位置管理システム１００を用いたサポートセンター２００の構成例について説明する。
【００８６】
サポートセンター２００には、車両３０の位置を管理する管理サーバ４０が設けられる。サポートセンター２００では、たとえば、製品の保守員が利用する社用車としての車両３０の位置情報を管理する。サポートセンター２００のオペレータは、社用車の位置情報に基づいて、保守員の業務や予定を管理する。サポートセンター２００のオペレータは、社用車の位置情報に基づいて、保守員への指示を行うこともできる。たとえば、サポートセンター２００のオペレータは、装置の故障・障害に関する緊急のサポート依頼を受領した際、緊急のサポート依頼を発信した顧客施設３００の近くにいる社用車を使用する保守員に、当該顧客施設３００に急行することを指示する。
【００８７】
図９に示すように、サポートセンター２００には、管理サーバ４０と、社内ネットワーク２０１と、車両位置ＤＢ〈データベース〉２０２と、車両情報ＤＢ２０３と、保守員ＤＢ２０４と、行動予定ＤＢ２０５と、顧客ＤＢ２０６と、複数の端末２０７とが設けられている。また、サポートセンター２００は、インターネット３０１や電話回線３０２を介して複数の顧客施設３００と通信可能に接続されている。
【００８８】
社内ネットワーク２０１は、サポートセンター２００内の各部を情報通信可能に接続している。具体的には、社内ネットワーク２０１には、管理サーバ４０と、車両情報ＤＢ２０３と、保守員ＤＢ２０４と、行動予定ＤＢ２０５と、顧客ＤＢ２０６と、複数の端末２０７とが接続されている。また、車両位置ＤＢ２０２は、管理サーバ４０を介して社内ネットワーク２０１に接続されている。社内ネットワーク２０１は、たとえば、ＬＡＮ（ローカルエリアネットワーク）である。
【００８９】
端末２０７は、たとえば、パーソナルコンピュータにより構成されている。端末２０７は、オペレータにより操作される。
【００９０】
車両位置ＤＢ２０２は、車両３０の位置情報を管理するために用いられるデータベースである。たとえば、車両位置ＤＢ２０２は、図１０に示すように、車両ＩＤと、保守員ＩＤと、現在位置情報とを含んでいる。車両位置ＤＢ２０２には、車両ＩＤに対して、保守員ＩＤと、現在位置情報とが紐付されて記憶されている。また、車両位置ＤＢ２０２は、位置情報の履歴や、日毎、週毎、月毎等の走行距離が記憶されていてもよい。これにより、車両３０の現在の位置情報を管理することができるとともに、車両３０の使用者１０１の運転距離や運転時間や移動経路などを管理することができる。位置情報は、たとえば、緯度および経度を用いた座標値により記憶されている。
【００９１】
車両情報ＤＢ２０３は、車両３０と、車両３０に設けられた車載通信機器２０とを関連付るデータベースである。たとえば、車両情報ＤＢ２０３は、図１１に示すように、車両ＩＤと、ビーコンＩＤとを含んでいる。ビーコンＩＤは、車載通信機器２０から発信する通信信号に含まれ、車両３０の情報を有する第１識別情報に含まれている。第１識別情報は、位置情報とともに、携帯通信機器１０から管理サーバ４０に送信される。管理サーバ４０は、第１識別情報に基づいて、位置情報に対して車両３０を関連付ける。これにより、複数の車両３０が存在する場合に、複数の車両３０の各々を区別して位置を管理することができる。
【００９２】
行動予定ＤＢ２０５は、保守員としての複数の使用者１０１の行動予定が記録されたデータベースである。たとえば、行動予定ＤＢ２０５は、図１２に示すように、保守員ＩＤと、複数の行動予定とを含んでいる。行動予定には、時間帯と訪問先とが記憶される。つまり、行動予定ＤＢ２０５により、保守員の予定を確認することが可能である。
【００９３】
顧客ＤＢ２０６は、複数の顧客の情報が記録されたデータベースである。たとえば、顧客ＤＢ２０６は、図１３に示すように、顧客ＩＤと、顧客名と、位置情報とを含んでいる。
【００９４】
保守員ＤＢ２０４は、保守員としての複数の使用者１０１の情報が記録されたデータベースである。たとえば、保守員ＤＢ２０４は、保守員ＩＤと、携帯通信機器ＩＤと、保守員の属性と、保守員の保有スキルとを含んでいる。保守員の属性は、たとえば、所属チームや、役職などを含んでいる。保守員の保有スキルは、たとえば、保守可能な装置の情報を含んでいる。携帯通信機器ＩＤは、携帯通信機器１０に関する情報を有する第２識別情報に含まれている。第２識別情報は、位置情報とともに、携帯通信機器１０から管理サーバ４０に送信される。管理サーバ４０は、第２識別情報に基づいて、位置情報に対して車両３０の使用者１０１を関連付ける。これにより、車両３０により移動している使用者１０１を区別して使用者１０１毎に位置を管理することができる。つまり、車両３０に乗車している使用者１０１の情報を予め登録しなくても、車両３０と使用者１０１とを関連付けることができる。また、管理サーバ４０は、第２識別情報に基づいて、位置情報に対して車両３０の使用者１０１の行動予定を関連付ける。これにより、車両３０により移動している使用者１０１の位置および行動予定に基づいて、使用者１０１の状態を容易に把握することができる。
【００９５】
端末２０７は、車両３０と、保守員としての使用者１０１とが示された位置を表示させることができる。たとえば、端末２０７には、図１５に示す例のような地図が表示される。図１５に示す例では、顧客としてのＣａ病院と、Ｃｂ病院とが表示されている。また、車両ＩＤＶａの車両３０の位置と、車両ＩＤＶａに乗車している保守員ＩＤＭａの使用者１０１の位置とが表示されている。また、車両ＩＤＶｂの車両３０の位置と、車両ＩＤＶｂに乗車している保守員ＩＤＭｂの使用者１０１の位置とが表示されている。
【００９６】
端末２０７を操作するオペレータは、複数の携帯通信機器１０からそれぞれ送信された位置情報に基づいて、顧客施設３００から所定距離の範囲内の車両３０と車両３０の使用者１０１とを検索し、検索された使用者１０１の行動予定情報に基づいて、顧客施設３００に派遣する使用者１０１の候補を決定する。これにより、複数の車両３０の使用者１０１の中から、顧客施設３００に近くて行動予定の都合の良い使用者１０１を容易に選択することができるので、顧客施設３００に使用者１０１を迅速に派遣することができる。なお、顧客施設３００に派遣する使用者１０１の候補を決定する処理は、端末２０７などのプログラムにより行ってもよい。
【００９７】
端末２０７を操作するオペレータは、複数の携帯通信機器１０からそれぞれ送信された位置情報に基づいて、顧客施設３００から所定距離の範囲内の車両３０と車両３０の使用者１０１とを検索し、検索された使用者１０１の属性情報に基づいて、顧客施設３００に派遣する使用者１０１の候補を決定する。これにより、複数の車両３０の使用者１０１の中から、顧客施設３００に近くて属性が適した使用者１０１を容易に選択することができるので、顧客施設３００に適した属性の使用者１０１を迅速に派遣することができる。なお、顧客施設３００に派遣する使用者１０１の候補を決定する処理は、端末２０７などのプログラムにより行ってもよい。
【００９８】
端末２０７を操作するオペレータは、複数の携帯通信機器１０からそれぞれ送信された位置情報に基づいて、顧客施設３００から所定距離の範囲内の車両３０と車両３０の使用者１０１とを検索し、検索された使用者１０１のスキル情報に基づいて、顧客施設３００に派遣する使用者１０１の候補を決定する。これにより、複数の車両３０の使用者１０１の中から、顧客施設３００に近くて適したスキルを有する使用者１０１を容易に選択することができるので、顧客施設３００に適したスキルを有する使用者１０１を迅速に派遣することができる。なお、顧客施設３００に派遣する使用者１０１の候補を決定する処理は、端末２０７などのプログラムにより行ってもよい。
【００９９】
（位置情報の登録処理）
図１６を参照して、管理サーバ４０による位置情報の登録処理の一例について説明する。
【０１００】
図１６のステップＳ４１において、携帯通信機器１０から位置情報と、ビーコンＩＤと、携帯通信機器ＩＤとが管理サーバ４０に送信されると、ステップＳ４２において、ビーコンＩＤをキーとして、車両情報ＤＢ２０３を用いて、車両ＩＤを検索する。また、ステップＳ４３において、携帯通信機器ＩＤをキーとして、保守員ＤＢ２０４を用いて、保守員ＩＤを検索する。そして、ステップＳ４４において、位置情報を車両ＩＤと保守員ＩＤとを紐付けして車両位置ＤＢ２０２に登録する。また、管理サーバ４０は、保守員ＩＤをキーとして、行動予定ＤＢ２０５を用いて保守員の行動予定を検索し、検索された行動予定に車両ＩＤを登録してもよい。これにより、サポートセンター２００のシステムにより保守員と車両３０とを自動的に紐付することが可能である。また、車両３０の位置と保守員とが紐付けられることにより、保守員毎に管理されている行動予定と車両３０の位置とを自動的に関連付けることが可能である。
【０１０１】
（サポート処理）
図１７を参照して、サポートセンター２００におけるサポート処理の一例について説明する。
【０１０２】
図１７のステップＳ５１において、顧客施設３００からサポート依頼が通知される。ステップＳ５２において、サポート依頼を受けたオペレータは、端末２０７に、顧客情報と、依頼情報とを入力する。ステップＳ５３において、顧客情報に基づいて、顧客ＤＢ２０６を用いて、顧客施設３００の位置が検索される。
【０１０３】
ステップＳ５４において、顧客施設３００の位置に基づいて、車両位置ＤＢ２０２を用いて顧客施設３００の近隣の車両ＩＤが検索される。また、顧客施設３００の位置に基づいて、保守員ＤＢ２０４を用いて顧客施設３００の近隣の車両乗車中の保守員ＩＤが検索される。ステップＳ５５において、検索された保守員ＩＤに基づいて、行動予定ＤＢ２０５を用いて保守員の行動予定が検索される。
【０１０４】
ステップＳ５６において、行動予定に空きがある保守員が特定される。ステップＳ５７において、特定された保守員ＩＤに基づいて、保守員ＤＢ２０４を用いて、サポート依頼に対応可能な保守員が検索され、結果のリストが端末２０７に表示される。ステップＳ５８において、オペレータが表示されたリストを参照して、対応する保守員が決定される。
【０１０５】
ステップＳ５９において、顧客ＤＢ２０６、車両位置ＤＢ２０２および行動予定ＤＢ２０５を用いて、決定された保守員の現在位置と、保守員の行動予定と、顧客施設３００の位置とか到着予定時刻を算出する。そして、保守員の到着予定時刻を顧客に通知する。
【０１０６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【符号の説明】
【０１０７】
１０：携帯通信機器、１１：制御部、１３：位置情報取得部、１４：通信部、２０：車載通信機器、３０：車両、４０：管理サーバ、５０：信号送信装置、１００：位置管理システム、１０１：使用者、１１０：位置管理プログラム
【図１】
2018180971.tif 000003
【図２】
2018180971.tif 000004
【図３】
2018180971.tif 000005
【図４】
2018180971.tif 000006
【図５】
2018180971.tif 000007
【図６】
2018180971.tif 000008
【図７】
2018180971.tif 000009
【図８】
2018180971.tif 000010
【図９】
2018180971.tif 000011
【図１０】
2018180971.tif 000012
【図１１】
2018180971.tif 000013
【図１２】
2018180971.tif 000014
【図１３】
2018180971.tif 000015
【図１４】
2018180971.tif 000016
【図１５】
2018180971.tif 000017
【図１６】
2018180971.tif 000018
【図１７】
2018180971.tif 000019